(57)【要約】      （修正有）【課題】ボックス体の剛性を高めて、バッフル板の振動を確実に防止するスピーカキャビネット及びスピーカ装置を提供する。【解決手段】スピーカ装置は、バッフル板１３及び複数の側板１４、１５を有する木製のボックス体１９の内部に、バッフル板の背面に沿って固定されたリブ部５１と、リブ部の両端部とバッフル板に交差する方向に延びる二つの側板との間を相互に連結状態とする筋交い部とを備えた補強部材５０を設けてなる。筋交い部は、リブの両端部から延びる一対の前側斜め部５４とこれら前側斜め部に対して交差部５３を介して連結された後側斜め部５５とを有し、後側斜め部の先端が側板１５の内面に接している。【選択図】図３
2018110319.tif 000002
【特許請求の範囲】
【請求項１】
少なくとも１のバッフル板と２の側板とを有するボックス体と、前記ボックス体の内部に設けられた、前記ボックス体を補強する補強部材と
を備えたスピーカキャビネットであって、
前記補強部材が、
前記バッフル板の背面に固定されたリブ部と、
前記リブ部の両端部と前記バッフル板に交差する方向の前記２の側板との間を連結するＸ字状の筋交い部とを備えることを特徴とするスピーカキャビネット。
【請求項２】
前記Ｘ字状の筋交い部は、
その交差部が、前記リブ部と平行に延びた棒状である請求項１記載のスピーカキャビネット。
【請求項３】
前記リブ部と前記筋交い部は、一素材で作られている請求項１又は２記載のスピーカキャビネット。
【請求項４】
前記ボックス体及び前記補強部材が木材により作られている請求項１から３のいずれか一項記載のスピーカキャビネット。
【請求項５】
請求項１から４のいずれか一項記載のスピーカキャビネットと、前記バッフル板における前記補強部材の両側にそれぞれ設けられたスピーカユニットとを備えるスピーカ装置。
【発明の詳細な説明】
【技術分野】
【０００１】
本発明は、木材製のボックス体の内側に補強部材を設けてなるスピーカキャビネット及びスピーカ装置に関する。
【背景技術】
【０００２】
木材製のボックス体により外壁を構成するスピーカキャビネットにおいては、複数枚の平板でボックス体を組み立て、内側にリブなどを設けて補強することが行われる。この明細書では、スピーカーキャビネットのうちの、補強材や脚や取っ手が取り付けられる、箱の部分をボックス体と呼ぶ。
特許文献１では、ボックス体のバッフル板、両側板、背板の内面に溝を形成し、この溝に補強枠を接着固定して振動を防止している。
また、特許文献２では、バッフル板、両側板、背板の内面に密着した横枠と、少なくとも底板の内面と両側板に密着し、枠材で囲む平面をバッフル板に平行とした縦枠とにより、ボックス体を補強している。
【先行技術文献】
【特許文献】
【０００３】
【特許文献１】特開昭５５‐７４２９１号公報
【特許文献２】特開昭５８‐１１４５９６号公報
【発明の概要】
【発明が解決しようとする課題】
【０００４】
しかしながら、ボックス体の内面に枠状の補強部材を固着するだけでは、剛性が低く、バッフル板の振動を防止する効果は小さい。
【０００５】
本発明は、このような事情に鑑みてなされたもので、ボックス体の剛性を高めて、バッフル板の振動を確実に防止することを目的とする。
【課題を解決するための手段】
【０００６】
本発明のスピーカキャビネットは、少なくとも１のバッフル板と２の側板とを有するボックス体と、前記ボックス体の内部に設けられた、前記ボックス体を補強する補強部材とを備えたスピーカキャビネットであって、前記補強部材が、前記バッフル板の背面に固定されたリブ部と、前記リブ部の両端部と前記バッフル板に交差する方向の前記２の側板との間を連結するＸ字状の筋交い部とを備える。
【０００７】
バッフル板の背面に固定されたリブ状部が筋交い部によって両側板の内面に連結されており、従来技術の枠状の補強部材に比べて、剛性を高く、バッフル板の振動を強力に防止できる。
【０００８】
本発明のスピーカキャビネットにおいて、前記Ｘ字状の筋交い部の交差部は、前記リブ部と平行に延びた棒状である。
【０００９】
筋交い部の交差部を棒状とすることにより、交差部が延びた分、ブリッジする距離は小さくなるから、全体としての剛性をより高めることができる。棒状の交差部はリブ部と平行から、横方向の剛性も低下しない。
【００１０】
本発明のスピーカキャビネットにおいて、前記リブ部と前記筋交い部は一素材で作るとよい。さらに言えば、前記ボックス体及び前記補強部材を木材で作るのがよい。
リブ部及び筋交い部を一素材で作ることにより、これら補強部材自体の剛性が上がり、ボックス体をより強固に補強できる。また、ボックス体と補強部材は、木材により容易に作ることができる。
【００１１】
本発明のスピーカ装置は、前記スピーカキャビネットと、前記バッフル板における前記補強部材の両側にそれぞれ設けられたスピーカユニットとを備える。
【発明の効果】
【００１２】
本発明によれば、バッフル板の背面に固定したリブ部を筋交い部によって側板に固定した構造としたので、ボックス体の剛性が上がり、バッフル板の振動を強力に防止できる。
【図面の簡単な説明】
【００１３】
【図１】本発明の実施形態のスピーカ装置正面側斜視図である。
【図２】図１のスピーカ装置の背面側斜視図である。
【図３】図１のスピーカ装置の横断面図であり、図４のＡ−Ａ線に沿う位置での断面に相当する。
【図４】図１のスピーカ装置の縦断面図であり、図３のＢ−Ｂ線に沿う位置での断面に相当する。
【図５】図１のスピーカ装置を横置き状態として天板を視た正面図である。
【発明を実施するための形態】
【００１４】
以下、本発明のスピーカ装置の実施形態について、図面を参照しながら説明する。
このスピーカ装置１は、スピーカキャビネット１０と、その内部に取り付けられたスピーカユニット２０，２１とを有している。このスピーカ装置は、図１のように立てて使う使用形態と、図５のように寝かせて使う使用形態とが想定されており、その意味でどちらが上と決まっていないが、この明細書では、図１の形態で正面から視た方向で、前後方向、左右方向、上下方向を定義する。
スピーカキャビネット１０は、図１、図２及び図５に示すように六角形をなす天板１１及び底板１２、図３及び図４に示す正面のバッフル板１３、バッフル板１３の両側に配置される一対の前側板１４、これら前側板１４の背部に配置される一対の後側板１５、これら後側板１５の間に配置されるパネル板１６及び後述するように二つに分かれた背面板１７Ａ，１７Ｂ、これら背面板１７Ａ，１７Ｂとパネル板１６との間を閉塞する上側閉塞板１８Ａ、下側閉塞板１８Ｂにより囲まれたボックス体１９を備えている。
【００１５】
この実施形態では、スピーカユニット２０，２１は二種類設けられており、図４に示すようにバッフル板１３の上部にホーン形スピーカユニット２０が取り付けられ、下部にコーン形スピーカユニット２１が取り付けられている。そして、これらホーン形スピーカユニット２０及びコーン形スピーカユニット２１を含めてバッフル板１３の全面を覆うようにグリル板３０が設けられている。また、このバッフル板１３の上端部は天板１１の内面に形成した溝１１ａ内に嵌め込まれ、バッフル板１３の両側部は、前側板１４の下面に形成した上下方向に沿う溝１４ａ内に嵌め込まれた状態に固定され、バッフル板１３の下端部が底板１２に固定されている。
【００１６】
一対の前側板１４はバッフル板１３に対してほぼ直角に設けられているが、その後方に配置される両後側板１５は、後方に向かうにしたがって間隔を漸次狭めるように角度をつけて設けられている。この場合、両後側板１５は、その上端部間及び下端部間が、それぞれ背面板１７Ａ，１７Ｂにより連結されており、これら背面板１７Ａ，１７Ｂにより連結された上端部と下端部の間に、後端部の高さ方向の中間部を凹状に切り欠くように切欠部１５ａが形成されている。そして、これら切欠部１５ａの間を閉塞するように、ボックス体１９の内側にパネル板１６が設けられるとともに、このパネル板１６と両後側板１５及び背面板１７Ａ，１７Ｂとにより囲まれたスペースを閉塞する上側閉塞板１８Ａ及び下側閉塞板１８Ｂが設けられている。
【００１７】
これにより、ボックス体１９の背部は、図２に示すように、その高さ方向の中央部の凹部３５と、その上方及び下方の突出部３６Ａ，３６Ｂとにより構成される。これら突出部３６Ａ，３６Ｂのうち上側突出部３６Ａは、一対の後側板１５、背面板１７Ａ、天板１１及び上側閉塞板１８Ａにより、また、下側突出部３６Ｂは、一対の後側板１５、背面板１７Ｂ、底板１２及び下側閉塞板１８Ｂにより、それぞれ空気が漏れないように形成される。パネル板１６は、一対の後側板１５の切り欠き部１５ａの間に配置され、凹部３５の底面を形成する。パネル板１６は、凹部３５で後方に露出している。
【００１８】
そして、両前側板１４の高さ方向の中央部に、持ち運び用の取っ手部材４０が取り付けられている。これら取っ手部材４０は、前側板１４に形成した矩形の孔部１４ｂ内に取り付けられており、孔部１４ｂの周縁部の内面に固定されるフランジ部４１と、そのフランジ部４１により囲まれた部分をボックス体１９の外面に向けて凹状に形成してなる凹状部４２と、この凹状部４２に架け渡されるハンドル部４３とにより構成されている。このため、取っ手部材４０は、凹状部４２を形成している部分がボックス体１９の内側に突出する。
【００１９】
グリル板３０は、例えばスチール等の金属板の表面に布を貼り付けた構成であり、スピーカユニット２０，２１から放射される音を通過可能な複数の孔が設けられている。図１に示すように全体として長方形状に形成されるが、その幅方向の中央部を前方に突出させるように湾曲した形状に形成されている。このため、天板１１及び底板１２も、このグリル板３０の湾曲に併せて、前端面が前方に向けて凸となるように円弧状に形成されている。また、バッフル板１３の前面の上端部、中間部、及び下端部には、図３及び図４に示すように、グリル板３０の背面を当接して、グリル板３０を湾曲状態に保持するための桟部材３１〜３３がそれぞれ固定されており、これら桟部材３１〜３３の前面にグリル板３０が設けられる。
【００２０】
また、バッフル板１３の背面（内面）と、両後側板１５との間には、その高さ方向の中間部に、補強部材５０が設けられている。この場合、補強部材５０は、バッフル板１３に取り付けられている両スピーカユニット２０，２１の間に配置されているが、二つのスピーカユニット２０，２１は、実施形態では下部のコーン形スピーカユニット２１が上部のホーン形スピーカユニット２０よりも大きいため、補強部材５０は、高さ方向の中央位置より若干上寄りに配置される。
【００２１】
この補強部材５０は、図３に示すように、バッフル板１３の背面に幅方向に沿って固定されたリブ部５１と、このリブ部５１の両端部と両後側板１５との間をそれぞれ連結する筋交い部５２とを備える。筋交い部５２は、その途中で交差するＸ字状であり、その交差部にリブ部５１と平行に延びる棒状部５３を有する。そして、その棒状部５３の両端部に、リブ部５１の両端部との間を連結する一対の前側斜め部５４と、一対の後側板１５の内面に向けて延びる一対の後側斜め部５５とが設けられている。
この場合、リブ部５１は、横方向にバッフル板１３の両端あたりまで延びており、リブ部５１の両端面がバッフル板１３の両側の前側板１４の内面に固定されている。一方、筋交い部５２の一対の後側斜め部５５の先端面はボックス体１９の一対の後側板１５の内面に固定されている。
【００２２】
したがって、この補強部材５０は、リブ部５１と交差部と２本の前側斜め部５４とにより囲まれた貫通孔６１を有するとともに、補強部材５０がボックス体１９の内側に配置された状態においては、前側斜め部５４と後側斜め部５５とボックス体１９の前側板１４とにより囲まれたほぼ三角形状をなす側部貫通部６２が棒状の交差部５３の両側方に１個ずつ形成され、後部には、交差部５３と両後側斜め部５５と後側板１５及びパネル板１６とにより囲まれた後部貫通部６３が形成され、キャビネット内の空気は、貫通孔６１、貫通部６２，６３をボックス体１９の高さ方向（上下方向）に貫通する。
そして、両側部貫通部６２内には、前側板１４に取り付けられた取っ手部材４０が張り出しており、後部貫通部６３内には、パネル板１６の取付穴に取り付けられたパワーアンプの回路基板Ｃが張り出している。逆に言えば、補強部材５０は、これら取っ手部４０材及び回路基板Ｃを避けるように設計されている。なお、パワーアンプは、外部から音信号を受け取る入力端子と、その音信号を増幅してスピーカユニット２０、２１を駆動する増幅回路と、その音量を制御する操作つまみ等を備えており、前記取付穴に取り付けられたとき、その穴をふさぐ構造をしている。
【００２３】
ボックス体１９の外壁を構成している天板１１、底板１２、バッフル板１３、前側板１４、後側板１５、パネル板１６、背面板１７Ａ，１７Ｂ、両閉塞板１８Ａ，１８Ｂ及び補強部材５０は、それぞれ木製で適度な厚さを有する板であり、例えば、合板、パーティクルボード、ＭＤＦ（Ｍｅｄｉｕｍ  Ｄｅｎｓｉｔｙ  Ｆｉｂｅｒｂｏａｒｄ）等の何れでもよい。強度の不足を補うための補強部材５０は、１つの板素材から、例えば、糸鋸で１枚の板から切り出したり、プレス機で１枚の板から打抜いて、形成されており、リブ部５１及び筋交い部５２が同一平面状に形成される。この場合、リブ部５１は、その長手方向に垂直の厚さ方向の断面が厚さよりも幅の大きい矩形状である。このため、リブ部５１は、その厚さ方向に平行な軸を中心とする曲げモーメントに対する剛性が、その軸に直交する軸を中心とする曲げモーメントに対する剛性よりも高い。
【００２４】
そして、補強部材５０は、ボックス体１９に、ボックス体１９の内面に形成した溝内に補強部材５０が嵌め込まれた状態で接着されている。具体的には、バッフル板１３には、その内面に幅方向に沿って溝１３ａが形成され、このバッフル板１３に連続する前側板１４の前端部には、バッフル板１３の溝１３ａと連続する溝１４ａが形成され、これら溝１３ａ，１４ａ内に補強部材５０のリブ部５１の先端部から両端部が嵌め込まれている。また、後側板１５には、バッフル板１３の溝１３ａと同じ高さ位置に溝１５ａがそれぞれ設けられており、その溝１５ａに補強部材５０の両後側斜め部５５の先端部が嵌め込まれている。これら溝１３ａ，１４ａ，１５ａで、補強部材５０はボックス体１９に接着剤により固定される。
【００２５】
なお、両前側板１４に取り付けられている取っ手部材４０は、そのハンドル部４３等が前側板１４の外表面から突出しないように設けられている。また、このスピーカ装置１は、底板１２を接地させて使用する縦置き姿勢だけでなく、図５に示すように、両後側板１５のいずれかを床Ｆに接地させた横置き姿勢でも用いることができるようになっており、これら底板１２と両後側板１５とに接地用の脚部７０が設けられる。
【００２６】
このように構成したスピーカキャビネット１０を有するスピーカ装置１は、ボックス体１９の高さ方向の中間位置でバッフル板１３、一対の前側板１４、一対の後側板１５を、ボックス体１９の内部で補強部材５０を連結しているので、木製でありながら剛性が高いボックス体１９となっている。そして、その補強部材５０のリブ部５１がバッフル板１３の幅にわたって固定され、その両端部が両前側板１４に固定されているので、リブ部５１の剛性が高く、バッフル板１３の振動の発生を強力に防止することができる。
【００２７】
また、前述したように、このスピーカ装置１は、底面を接地した縦置き姿勢だけでなく、後側板１５の表面を接地した横置き姿勢でも用いることが想定されているが、その横置き姿勢においても、接地面を形成する後側板１５と他の後側板１５及びバッフル板１３の間を連結するように補強部材５０が上下方向に沿って配置されるので、この横置き姿勢のボックス体１９に上下方向に荷重が作用したとしても、つぶされることはない。実施形態のようにボックス体１９が直方体形状でない場合、上方から荷重が作用した場合には、垂直方向の板が少なくつぶされ易いために、本構造の補強部材５０が特に有効である。
この補強部材５０は、１つの板素材から形成しているので、特に面方向に沿う座屈荷重に強く、ボックス体１９の強度を大きく向上させることができる。
【００２８】
なお、本発明は、上記実施形態に限定されるものではなく、本発明の趣旨を逸脱しない範囲において種々の変更を加えることが可能である。
例えば、実施形態のスピーカキャビネットは天板１１及び底板１２が六角形の六角柱であったが、三角柱、四角柱（直方体）、五角柱などの形状であってもよい。例えば、矩形の天板及び底板と、一対の側板及び背面板による直方体状のスピーカキャビネットとする場合は、バッフル板の背面にリブ部を固定し、筋交い部の両後側斜め部の先端を一対の側板に固定すればよい。本発明においては、この直方体状のスピーカキャビネットにおける両側板、及び実施形態の後側板について、バッフル板に交差する方向に延びる二つの側板と称している。
補強部材５０の交差部５３を棒状部により構成したが、必ずしも棒状でなくてもよく、前側斜め部及び後側斜め部が直接的に交差する形状としてもよい。
一対の後側板１５に切欠部１５ａを形成してスピーカキャビネットの背面に凹部３５を設けていたが、必ずしも設ける必要はない。その場合、背面板１７は上から下までの１枚板とすればよく、凹部３５を覆うためのパネル板１６、および、閉塞板１８Ａ、１８Ｂは不要になる。凹部３５の無いスピーカキャビネットとした場合、パワーアンプは側板の何れか１つに取付穴を開けて取り付ければよい。
一対の前側板１４にそれぞれ穴を開けて取っ手部材４０を取り付けていたが、その穴を開けない、取っ手部材４０を取り付けない構造としても良い。
スピーカ装置１は、パネル板１６の取付穴にパワーアンプを取り付けたパワードスピーカであったが、本発明のスピーカ装置は、同取付穴に入力端子と音信号を帯域分割するネットワークとを取り付けたパッシブスピーカであってもよい。
【符号の説明】
【００２９】
１…スピーカ装置、１０…スピーカキャビネット、１１…天板、１１ａ，１３ａ，１４ａ，１５ａ…溝、１２…底板、１３…バッフル板、１４…前側板、１４ｂ…孔部、１５…後側板、１５ａ…切欠部、１６…パネル板、１７Ａ，１７Ｂ…背面板、１８Ａ，１８Ｂ…閉塞板、１９…ボックス体、２０，２１…スピーカユニット、３０…グリル板、３１〜３３…桟部材、３５…凹部、３６Ａ，３６Ｂ…突出部、４０…取っ手部材、４１…フランジ部、４２…凹状部、４３…ハンドル部、５０…補強部材、５１…リブ部、５３…棒状部（交差部）、５４…前側斜め部、５５…後側斜め部、６１…貫通孔、６２…側部貫通部、６３…後部貫通部、７０…脚部、Ｃ…回路基板、Ｆ…床。
【図１】
2018110319.tif 000003
【図２】
2018110319.tif 000004
【図３】
2018110319.tif 000005
【図４】
2018110319.tif 000006
【図５】
2018110319.tif 000007